(57)【要約】【課題】  風路構造を簡単にさせ、又、換気能力及び空気循環能力の低下を防止させるばかりでなく、換気能力を向上させることができる浴室用送風装置の提供。【解決手段】  換気ユニット２と空気循環ユニット３を備え、空気循環ユニットの循環出口３２は、浴室天井面４０又は浴室壁面４４に沿った空気流を生じさせるように向いて開口され、空気循環ユニットに換気ユニットへの連通口３５が形成され、この連通口が換気ユニットの吸気口２１に直接に接続するように、空気循環ユニットと換気ユニットが連結され、換気ユニットの換気ファン２５及び空気循環ユニットの循環ファン３４は、それぞれ独立した単独作動と、同時に作動する同時作動ができるように形成されている。【選択図】  図１
2005282874.tif 000002
【特許請求の範囲】
【請求項１】
換気ファンにより浴室内の空気を吸気口から取り込んで排気口から屋外に排出させるようにした換気ユニットと、
循環ファンにより浴室内の空気を循環入口から取り込んで循環出口から浴室内に戻すようにした空気循環ユニットを備え、
前記空気循環ユニットの循環出口は、浴室天井面又は浴室壁面に沿った空気流を生じさせるように向いて開口され、
前記空気循環ユニットに換気ユニットへの連通口が形成され、この連通口が換気ユニットの吸気口に直接に接続するように、空気循環ユニットと換気ユニットが連結され、
前記換気ユニットの換気ファン及び空気循環ユニットの循環ファンは、それぞれ独立した単独作動と、同時に作動する同時作動ができるように形成されていることを特徴とした浴室用送風装置。
【請求項２】
請求項１記載の浴室用送風装置において、前記換気ユニットが浴室の天井面又は壁面に取り付けられた既設換気ユニットであり、この既設換気ユニットに空気循環ユニットが後付けで取り付けられている浴室用送風装置。
【請求項３】
請求項１又は２記載の浴室用送風装置において、前記換気ユニットの排気口に開閉シャッターが設けられている浴室用送風装置。
【請求項４】
請求項１又は２又は３記載の浴室用送風装置において、前記空気循環ユニット内に、循環ファンの風下側に空気加熱手段が設けられている浴室用送風装置。
【発明の詳細な説明】
【技術分野】
【０００１】
本発明は、浴室（洗面所を含む）内を乾燥雰囲気にすることと、天井面や壁面の乾燥のために使用する浴室用送風装置に関する。
【背景技術】
【０００２】
従来、浴室の換気と浴室内の空気循環との両機能を備えた浴室用送風装置が提案されている｛特許文献１（従来技術１）及び特許文献２（従来技術２）参照｝。
【０００３】
従来技術１は、換気ファンを有する換気ユニットと、循環ファンを有する空気循環ユニットを備えたもので、換気ユニットによる浴室の換気と、空気循環ユニットによる浴室内の空気循環ができるようにしたものであった。
しかしながら、この従来技術１では、換気ユニットにおける吸気口から排気口に至る換気風路と、空気循環ユニットにおける循環入口から循環出口に至る循環風路が、それぞれ別々に独立して形成されており、このため、風路構造が複雑になるという問題があった。
【０００４】
従来技術２は、１個の送風ファンを備え、浴室から取り込んだ空気を送風ファンの風下において、屋外に排出させる換気風路と、浴室内に戻す循環風路とに分岐させるように形成されている。
しかしながら、この従来技術２では、送風ファンが１個であるため、換気風路によって換気しながら、同時に循環風路で浴室内の空気を循環をさせる場合に、どうしても風量が分散するため、換気能力及び空気循環能力が低下してしまうという問題があった。
【特許文献１】特開２００３−６５５８０号公報
【特許文献２】特開平８−２６１５２９号公報
【発明の開示】
【発明が解決しようとする課題】
【０００５】
本発明は、空気循環ユニットにおける循環入口を、換気ユニットの換気風路への空気取込口として兼用させることで、風路構造を簡単にさせ、又、空気循環ユニット及び換気ユニットにそれぞれ送風ファン（換気ファン及び循環ファン）を設けることで、換気能力及び空気循環能力の低下を防止させるばかりでなく、換気能力を向上させることができる浴室用送風装置を提供することを課題としている。
【課題を解決するための手段】
【０００６】
上記の課題を解決するために、本発明（請求項１）の浴室用送風装置は、
換気ファンにより浴室内の空気を吸気口から取り込んで排気口から屋外に排出させるようにした換気ユニットと、
循環ファンにより浴室内の空気を循環入口から取り込んで循環出口から浴室内に戻すようにした空気循環ユニットを備え、
前記空気循環ユニットの循環出口は、浴室天井面又は浴室壁面に沿った空気流を生じさせるように向いて開口され、
前記空気循環ユニットに換気ユニットへの連通口が形成され、この連通口が換気ユニットの吸気口にダクト等を用いることなく直接に接続するように、空気循環ユニットと換気ユニットが連結され、
前記換気ユニットの換気ファン及び空気循環ユニットの循環ファンは、それぞれ独立した単独作動と、同時に作動する同時作動ができるように形成されている構成とした。
【０００７】
前記請求項１記載の浴室用送風装置において、前記換気ユニットが浴室の天井面又は壁面に取り付けられた既設換気ユニットであり、この既設換気ユニットに空気循環ユニットが後付けで取り付けられている態様（請求項２）がある。
【０００８】
前記請求項１又は２記載の浴室用送風装置において、前記換気ユニットの排気口に開閉シャッターが設けられている態様（請求項３）がある。
【０００９】
前記請求項１又は２又は３記載の浴室用送風装置において、前記空気循環ユニット内に、循環ファンの風下側に空気加熱手段が設けられている態様（請求項４）がある。
【発明の効果】
【００１０】
本発明では、空気循環ユニットにおける循環入口を、換気ユニットの換気風路への空気取込口として兼用させたので、風路構造を簡単にすることができる。
又、空気循環ユニット及び換気ユニットにそれぞれ送風ファン（換気ファン及び循環ファン）を設けたので、１個の送風ファンよって換気と空気循環を行なうものとは異なり、換気能力及び空気循環能力の低下を防止できるばかりでなく、換気能力を向上させることができる。
【発明を実施するための最良の形態】
【００１１】
図１は本発明の浴室用送風装置の実施例を示す断面図、図２はこの浴室用送風装置の換気ユニットを示す斜視図、図３はこの浴室用送風装置の空気循環ユニットを示す斜視図、図４はこの浴室用送風装置を用いたときの浴室内の空気流動状態を示す説明図である。
【００１２】
本実施例の浴室用送風装置１は、換気ユニット２と、この換気ユニット２とは別体に形成された空気循環ユニット３を備えている。
前記換気ユニット２は、浴室４内の空気を吸気口２１から取り込んで排気口２２から屋外に排出させるためのもので、底面が開放すると共に、四方の側面及び上面が閉塞された矩形ボックス状のハウジング２３を備えている。
【００１３】
このハウジング２３の底面には全面開放された吸気口２１が形成され、又、一側面に排気口２２が形成され、この排気口２２に接続した排気ダクト２４が屋外に延長されている。
前記ハウジング２３には、シロッコファンによる換気ファン２５が組み付けられており、この場合、ハウジング２３の上面にファンモータ２５ａが取り付けられ、このファンモータ２５ａによって回転駆動するファンロータ２５ｂがハウジング２３の内部に設けられている。
【００１４】
そして、浴室天井面４０に形成した取り付け孔４１に前記ハウジング２３を挿入して、このハウジング２３の底面外周に設けた外向フランジ２６を取り付け孔４１の周囲にスクリュー等で取り付けることで、換気ユニット２を浴室天井面４０に取り付けるようにしている。
【００１５】
前記空気循環ユニット３は、浴室４内の空気を循環入口３１から取り込んで循環出口３２から浴室４内に戻すためのもので、底面及び上面が開放すると共に、四方の側面が金網により形成され、平面視が前記換気ユニット２のハウジング２３と略同一形状に形成された矩形ボックス状のケーシング３３を備えている。
【００１６】
前記ケーシング３３には、シロッコファンによる循環ファン３４が組み付けられており、この場合、ケーシング３３の上面にファンモータ３４ａが取り付けられ、このファンモータ３４ａによって回転駆動するファンロータ３４ｂがケーシング３３の内部に設けられている。
【００１７】
前記ケーシング３３の底面には全面開放された循環入口３１が形成され、又、四方の側面が側板により閉塞されると共に、この側板の数ヶ所に循環出口３２が形成され、循環ファン３４からの送風を前記各循環出口３２に導く送風ガイド３７が設けられて、浴室天井面４０に沿った空気流を生じさせるようになっている。又、前記循環入口３１には、グリルやルーバを取り付けるようにしている。
なお、図３においては、一部の循環出口（図面正面側の２個の循環出口３２）にだけ送風ガイド３７を設けた図示としているが、他の循環出口３２にも送風ガイド３７を設けるのは勿論である。
【００１８】
又、ケーシング３３の上面には全面開放された連通口３５が形成され、この連通口３５が前記換気ユニット２の吸気口２１にダクト等を用いることなく直接に接続するように、空気循環ユニット３と換気ユニット２がビス等で連結されている。この場合、ケーシング３３の底面外周に設けた外向フランジ３６と、前記換気ユニット２のハウジング２３に形成した外向フランジ２６同士がビス等で連結されて、空気循環ユニット３と換気ユニット２が一体的になるように連結されている。
【００１９】
このようにして空気循環ユニット３と換気ユニット２を一体的に連結することで、浴室用送風装置１をコンパクトに形成しながら、空気循環ユニット３の循環入口３１を換気ユニット２の換気風路への空気取込口２７として兼用させて、風路構造を簡単にすることができる。
【００２０】
又、前記換気ユニット２の換気ファン２５及び空気循環ユニット３の循環ファン３４は、それぞれ独立した単独作動と、同時に作動する同時作動ができるように形成されている。
従って、換気ユニット２の換気ファン２５だけを作動させると、図４に示すように、浴室ドア４２の下部に設けた換気口４３から空気が浴室４内に吸気され（図４矢印Ａ）、この浴室４内の空気が換気ユニット２の換気風路への空気取込口２７として兼用する空気循環ユニット３の循環入口３１に吸気され（図４矢印Ｂ）、これが連通口３５及び換気ユニット２の吸気口２１を経て排気口２２に至り、排気ダクト２４から屋外に排気される（図４矢印Ｃ）という換気風路によって浴室４内を換気することができる。
【００２１】
次に、空気循環ユニット３の循環ファン３４だけを作動させると、図４に示すように、浴室４内の空気が空気循環ユニット３の循環入口３１に吸気され（図４矢印Ｂ）、これが循環出口３２から浴室４内に戻される（図４矢印Ｄ）という循環風路によって浴室４内で空気循環させることができる。
このとき、循環出口３２が浴室天井面４０に沿った空気流を生じさせるように向いて形成されているため、浴室天井面４０から浴室壁面４４に至る浴室内面の乾燥を促進させることができ、湿気によるかびの発生や繁殖を抑制することができる。
【００２２】
又、換気ユニット２の換気ファン２５と空気循環ユニット３の循環ファン３４を同時に作動させると、前記した換気風路によって浴室４内を換気しながら、同時に循環風路によって浴室４内で空気循環させることができる。
このとき、換気ユニット２及び空気循環ユニット３にそれぞれ送風ファン（換気ファン２５及び循環ファン３４）が設けられているため、換気能力及び空気循環能力の低下を防止させることができるし、空気循環ユニット３の連通口３５が換気ユニット２の吸気口２１に接続しているため、循環ファン３４による送気が換気風路にも流入し、換気能力を向上させることができる。
【００２３】
次に、図５及び図６は浴室用送風装置の空気循環ユニットの他例を示す斜視図である。
図５の空気循環ユニット３は、ケーシング３３の四方の側面（全方向側面）に金網を通した循環出口３２が全面的に形成されて、この循環出口３２から浴室天井面４０に沿った空気流を全方位に向けて生じさせるようになっている。。
【００２４】
図６の空気循環ユニット３は、循環ファン３４がファンモータ３４ａに回転羽根３４ｃを取り付けた軸流ファンに形成され、循環入口３１からの空気を循環出口３２及び連通口３５に向けて送気させるように、回転羽根３４ｃが傾斜して形成されている。
なお、軸流ファンの回転羽根を軸方向と平行に立てて、循環入口からの空気の殆どを循環出口に向けて送気させるようにしてもよい。
【００２５】
又、本発明の浴室用送風装置は、浴室天井面４０又は浴室壁面４４に取り付けることができるもので、浴室壁面４４に取り付けた場合には、空気循環ユニット３の循環出口３２を浴室壁面４４に沿った空気流を生じさせるように向けて開口させることになる。
【００２６】
又、本発明の浴室用送風装置において、換気ユニットは、新規の換気ユニットであってもよいし、浴室の天井面又は壁面に取り付けられた既設換気ユニットであってもよく、この既設換気ユニットに対しては空気循環ユニットを後付けで取り付けることになる。
【００２７】
又、図１及び図２に示すように、換気ユニット２の排気口２２に開閉シャッター２８を設けてもよく、この開閉シャッター２８は、自重により閉鎖し、風圧により開放するように支持されている。
従って、この開閉シャッター２８を設けると、換気ファン２５を作動させたときには、その風圧により開閉シャッター２８が開放して換気風路による換気を可能にさせ、又、換気ファン２５を停止させたときには、屋外からの空気の流入を防止して、冬季における寒気の流入を防止することができる。
又、循環ファン３４だけを作動させたときには、十分な風圧が得られないため開閉シャッター２８が閉鎖し、換気風路への逃げを防止して空気循環風路による循環を効率よく行なうことができる。
【００２８】
又、図１に示すように、空気循環ユニット３内に、循環ファン３４の風下側に空気加熱手段としてのヒータ３９を設けてもよく、この場合、空気循環ユニット３の循環出口３２の手前部分となるケーシング３３の側面内面に沿うように取り付けられている。
このようにヒータ３９を設けると、空気循環ユニット３により浴室４内を循環する空気を暖めることができ、浴室暖房を行なうことができる。
【図面の簡単な説明】
【００２９】
【図１】本発明の浴室用送風装置の実施例を示す断面図である。
【図２】この浴室用送風装置の換気ユニットを示す斜視図である。
【図３】この浴室用送風装置の空気循環ユニットを示す斜視図である。
【図４】この浴室用送風装置を用いたときの浴室内の空気流動状態を示す説明図である。
【図５】浴室用送風装置の空気循環ユニットの他例を示す斜視図である。
【図６】浴室用送風装置の空気循環ユニットの他例を示す斜視図である。
【符号の説明】
【００３０】
１  浴室用送風装置
２  換気ユニット
２１  吸気口
２２  排気口
２３  ハウジング
２４  排気ダクト
２５  換気ファン
２５ａ  ファンモータ
２５ｂ  ファンロータ
２６  外向フランジ
２７  空気取込口
２８  開閉シャッター
３  空気循環ユニット
３１  循環入口
３２  循環出口
３３  ケーシング
３４  循環ファン
３４ａ  ファンモータ
３４ｂ  ファンロータ
３４ｃ  回転羽根
３５  連通口
３６  外向フランジ
３７  送風ガイド
３９  ヒータ
４  浴室
４０  浴室天井面
４１  取り付け孔
４２  浴室ドア
４３  換気口
４４  浴室壁面
【図１】
2005282874.tif 000003
【図２】
2005282874.tif 000004
【図３】
2005282874.tif 000005
【図４】
2005282874.tif 000006
【図５】
2005282874.tif 000007
【図６】
2005282874.tif 000008